(57)【特許請求の範囲】
【請求項１】
内部空間、第１開口部および第２開口部を有する薄型の筐体と、
前記第１開口部および前記第２開口部のいずれか一方に設けられる吸気ファンと、他方に設けられる排気ファンと、
前記内部空間であって第１開口部と第２開口部との間に形成される空気の循環路と、
前記内部空間に設けられると共に前記循環路を循環する空気に対して、所定の周波数帯域を有する紫外線を照射する複数の紫外線照射部と、を備え、
前記紫外線照射部は、前記循環路において連通部分を生じるように配置されており、
前記内部空間は、前記筐体の横方向であるＸ軸、前記筐体の高さ方向であるＹ軸、前記筐体の厚み方向であるＺ軸を有し、
前記循環路は、前記Ｙ軸方向に主として形成され、
前記紫外線照射部は、前記Ｘ軸および前記Ｚ軸の少なくとも一方において、前記連通部分を形成し、
前記複数の紫外線照射部のそれぞれは、前記Ｘ軸に交差するように、前記筐体の側面のそれぞれから突出して設けられ、かつ、前記複数の紫外線照射部の一部は、前記Ｘ軸に対して、前記Ｙ軸下を向くように交差しており、他の前記紫外線照射部は、前記Ｘ軸に対して、前記Ｙ軸上を向くように交差しているパネル型殺菌装置。
【請求項２】
前記複数の紫外線照射部の少なくとも一つは、前記筐体の側面から出し入れ可能に、前記内部空間において設置されている、請求項１記載のパネル型殺菌装置。
【請求項３】
前記紫外線照射部は、発光部と基板部とを備え、前記基板部は、前記連通部分を形成する、請求項１または２記載のパネル型殺菌装置。
【請求項４】
前記発光部は、発光ダイオードを有する、請求項３記載のパネル型殺菌装置。
【請求項５】
前記第１開口部は、前記筐体の上面、前記筐体の正面および前記筐体の背面のいずれかに設けられ、前記第２開口部は、前記筐体の底面、前記筐体の正面および前記筐体の背面のいずれかに設けられ、
前記第１開口部は、前記第２開口部よりも、前記Ｙ軸において上方に位置する、請求項１から４のいずれか記載のパネル型殺菌装置。
【請求項６】
前記吸気ファンおよび前記排気ファンのそれぞれは、前記第１開口部および前記第２開口部のいずれか一方の開口部分に合わせて配置される、請求項５記載のパネル型殺菌装置。
【請求項７】
前記内部空間に、前記吸気ファンと前記排気ファンの間に配置される補助ファンを更に備える、請求項１から６のいずれか記載のパネル型殺菌装置。
【請求項８】
前記筐体は、放熱板を備える、請求項１から７のいずれか記載のパネル型殺菌装置。
【請求項９】
前記筐体は、側面に放熱孔を有する、請求項１から８のいずれか記載のパネル型殺菌装置。
【発明の詳細な説明】
【技術分野】
【０００１】
本発明は、室内の間仕切りともなりうる薄型の形状を有していると共に室内の空気を内部に取り込んで、所定周波数帯域の紫外線によって空気を滅菌・殺菌するパネル型殺菌装置に関する。
【背景技術】
【０００２】
以前より、職場や病院などでは、不特定多数の人が集まることや、病人の存在などによって、衛生環境の保持が求められている。あるいは最近では、一般家庭においても、新型インフルエンザや花粉症などといったウイルスや細菌対策が求められるようになっている。職場においては、複数の異なる人が、異なる環境から集合する状態であるので、複数の人が様々な雑菌を持ち込んでくる可能性が高い。職場においては、様々な雑菌が蔓延したり、隣接する席の人からの雑菌の影響が生じたりする。病院においても同様であり、入院や通院患者が生じさせる雑菌や、見舞い患者等によって持ち込まれる雑菌などが存在している。家庭内においても、住人が外部から雑菌を持ち帰ることもありえるし、来客が雑菌を持ち込むこともありえる。小売店なども同様である。
【０００３】
このように、職場、病院、家庭、小売店といった、人の出入りや集合が生じる場所においては、衛生環境の保持や衛生環境の改善が求められている。もちろん、外気を通じて進入する雑菌やウイルスも存在してこれらに対する対策が求められているが、特に、出入りしたり集まったりする人に起因する雑菌やウイルスへの対策が求められている。
【０００４】
職場や病院においては、環境の様々な多数の人間が集まる状態があるので、各人同士を仕切る間仕切りによって、相互に雑菌やウイルスを遮断しあうことが考えられる。間仕切りによって雑菌やウイルスが行き交うことを防止できれば、少なくとも自分以外の他人という、自分が制御不可能な雑菌やウイルス源への対応が可能となるからである。また、家庭内においても、必要に応じて間仕切りを用いて、雑菌やウイルスの蔓延を遮断することが求められている。
【０００５】
しかしながら、間仕切りはあくまでも物理的な間仕切りに過ぎず、室内の空気中に存在する細菌やウイルスを消滅させることはできない。このような中、室内の空気中に存在する細菌やウイルスを滅菌したり殺菌したりする種々の殺菌装置が提供されている（例えば、特許文献１〜３参照）。また、箱型の殺菌装置も提案されている（例えば、特許文献４参照）。
【０００６】
ここで、病院、職場、家庭などにおいては、室内の空気を殺菌する殺菌機能と合わせて空気の往来を遮断する遮断機能との両立が求められている。空気が殺菌されても殺菌されていない室内の別の場所からの空気が到達すれば、殺菌の効果が減少するし、空気の往来が遮断できるだけでは衛生状態を維持することは不十分だからである。
【先行技術文献】
【特許文献】
【０００７】
【特許文献１】特開２００３−２２０１２２号公報
【特許文献２】特開２００５−１０６２９６号公報
【特許文献３】特開平１１−１９２４０５号公報
【特許文献４】特開平１１−４７２５７号公報
【発明の概要】
【発明が解決しようとする課題】
【０００８】
特許文献１〜３は、吸気によって空気を取り込んで、殺菌装置内部を循環する空気を紫外線や光触媒で殺菌する殺菌装置を開示する。
【０００９】
特許文献１は、吸引ファンによって取り込んだ空気を、紫外線と光触媒とによって殺菌する脱臭方法を開示する。職場、病院、家庭などに設置されて、室内の空気を脱臭することに用いられる。
【００１０】
しかしながら、特許文献１に開示される脱臭方法とこの装置は、非常に大掛かりであって室内における設置場所が限られる問題点もある。また、特許文献１に開示される装置は、あくまでも脱臭装置（殺菌装置）としての機能を果たすだけに過ぎず、例えば隣接する席や人同士を仕切る間仕切りとして使用できるわけではない。室内の細菌やウイルス対策としては、殺菌だけに限らず、必要な場所における空気の往来の遮断も必要となる。しかしながら、特許文献１に開示される装置は、空気の往来を遮断できない。
【００１１】
特許文献２は、クリーンルームなどの特殊環境において、室内全体の空気を吸引し、殺菌してから空気を戻す空調システムを開示する。室内全体の空気の殺菌や微生物処理が可能となる点では優れているが、一般的な職場、病院、家庭に設置するのは困難である。また、これらの一般的な室内においては、室内全体の空気を吸引して殺菌することまでが求められているものでもない。
【００１２】
このため、特許文献２に開示される空調システムは、一般的な室内において適用ができない問題を有している。
【００１３】
特許文献３は、空調機器の空気導入路に装着される光触媒ユニットであって、空調機器の動作時に吸引される室内の空気を殺菌する光触媒ユニットを開示する。
【００１４】
しかしながら、特許文献３に開示される光触媒ユニットは、空調機器に装着されるしか、室内に設置の方法がない問題がある。すなわち、設置場所を選び空気の往来の遮断ができない問題を有している。もちろん、空調機器が停止中には、空気の吸引がなされないので、殺菌機能が働かない問題もある。すなわち、特許文献３に開示される光触媒ユニットは、空調機器と連動しなければ使用が困難である問題もある。
【００１５】
特許文献１〜３に開示される技術は、室内の空気を殺菌することはできるが、病院、職場、家庭のような一般的な室内において容易に設置しつつ、空気の往来の遮蔽機能をも実現できるものではない。
【００１６】
特許文献４は、特許文献１〜３と同様に、空気を吸引して紫外線や光触媒によって吸引した空気を殺菌する殺菌装置を開示する。特許文献１〜３と異なり、殺菌装置が箱型であるので、設置が多少容易となるメリットがある。
【００１７】
しかしながら、特許文献４に開示される殺菌装置も、設置する場所の容易性が高まるだけで、空気の往来を遮蔽する機能を有するわけではない。
【００１８】
以上のように、従来技術の殺菌装置は、室内の空気を吸引して細菌やウイルスを殺菌するが、設置場所の容易性が低い上に、室内の空気の往来を遮蔽する機能を有していない問題がある。室内における各人にとっての衛生状態の維持においては、（１）隣接する人同士での空気の往来を遮蔽する遮蔽機能、（２）室内の空気を殺菌する殺菌機能、の両方が実現される必要がある。このような状況においては、遮蔽としての間仕切りが可能であるパネルのような薄型でかつ殺菌機能を有している殺菌装置が求められる。
【００１９】
しかしながら、外部に対して殺菌機能を生じさせる殺菌装置の場合には、殺菌のために人体にも有害な紫外線等が外部に発生することになる。隣接する人の間の遮蔽機能を発揮する場合には、当然ながら有害な紫外線等が人体に照射されてしまう問題がある。
【００２０】
一方で、人体に有害な紫外線等を照射しないように、筐体内部に空気を吸引して内部で殺菌する殺菌装置の場合には（特許文献１などと同様）、筐体をパネルのように薄型にするには、次のような種々の問題を生じさせる。
【００２１】
（問題１）筐体が薄いので、十分な空気の取り込みが困難である。
（問題２）取り込んだ空気が十分に筐体内部を循環することの困難性。
（問題３）薄型の筐体に紫外線照射部を効率的に設置することが難しく、狭い筐体内部で効率的に循環する空気に紫外線を照射することが難しい。
（問題４）問第２、３が相まって、十分な殺菌機能を発揮することが難しい。
（問題５）メンテナンスなどが難しい。
【００２２】
このような問題を生じさせないようにすると、殺菌装置が大型となったり、高さが低くなったりして、間仕切りのような遮蔽機能を発揮させることは困難である。
【００２３】
以上のように、このような問題１〜問題５を解決でき、遮蔽機能と殺菌機能とを両立できる、薄型の殺菌装置が求められている。
【００２４】
本発明は、上記の課題に鑑み、これら問題を解決しつつ、間仕切りとしても使用可能な遮蔽機能を発揮しつつ、十分な殺菌能力を有する殺菌装置を提供することを目的とする。
【課題を解決するための手段】
【００２５】
上記課題に鑑み、本発明のパネル型殺菌装置は、内部空間、第１開口部および第２開口部を有する薄型の筐体と、第１開口部および第２開口部のいずれか一方に設けられる吸気ファンと、他方に設けられる排気ファンと、内部空間であって第１開口部と第２開口部との間に形成される空気の循環路と、内部空間に設けられると共に循環路を循環する空気に対して、所定の周波数帯域を有する紫外線を照射する複数の紫外線照射部と、を備え、紫外線照射部は、循環路において連通部分を生じるように配置されており、内部空間は、筐体の横方向であるＸ軸、筐体の高さ方向であるＹ軸、筐体の厚み方向であるＺ軸を有し、循環路は、Ｙ軸方向に主として形成され、紫外線照射部は、Ｘ軸およびＺ軸の少なくとも一方において、連通部分を形成し、複数の紫外線照射部のそれぞれは、Ｘ軸に交差するように、筐体の側面のそれぞれから突出して設けられ、かつ、複数の紫外線照射部の一部は、Ｘ軸に対して、Ｙ軸下を向くように交差しており、他の紫外線照射部は、Ｘ軸に対して、Ｙ軸上を向くように交差している。
【発明の効果】
【００２６】
本発明のパネル型殺菌装置は、薄型であるので、職場において隣接する人同士の間仕切りとして利用したり、病院において隣接するベッド同士の間仕切りとして使用したりできる。間仕切りとして使用できるので、空気の往来を遮蔽でき、ある領域での衛生状態を維持できる。また、殺菌機能も有しているので、遮蔽された空間における空気を吸引して、室内の空気を殺菌できる。すなわち、空気の往来の遮蔽機能と、殺菌機能とを両立できる。
【００２７】
また、本発明のパネル型殺菌装置は、薄型でありながら、吸気・排気・紫外線照射部の工夫によって、高い殺菌能力を有する。この結果、遮蔽機能と殺菌機能との両立が更に強まり、職場、病院、家庭などの様々な場面での活用が可能となる。
【００２８】
更には、本発明のパネル型殺菌装置は、高いメンテナンス性も有する。
【図面の簡単な説明】
【００２９】
【図１】本発明の実施の形態１におけるパネル型殺菌装置の斜視図である。
【図２】本発明の実施の形態１におけるパネル型殺菌装置の動作説明図である。
【図３】本発明の実施の形態１における室内の空気循環を示す説明図である。
【図４】本発明の実施の形態１における室内の空気循環を示す説明図である。
【図５】本発明の実施の形態１におけるパネル型殺菌装置１の模式図である。
【図６】本発明の実施の形態１におけるパネル型殺菌装置の正面図である。
【図７】本発明の実施の形態１におけるパネル型殺菌装置の正面図である。
【図８】本発明の実施の形態１におけるパネル型殺菌装置を上から見た図である。
【図９】本発明の実施の形態１におけるパネル型殺菌装置の斜視図である。
【図１０】本発明の実施の形態２におけるパネル型殺菌装置の模式図である。
【図１１】本発明の実施の形態３におけるパネル型殺菌装置が設置されている室内の模式図である。
【図１２】本発明の実施の形態３におけるパネル型殺菌装置が設置された病室の模式図である。
【図１３】本発明の実施の形態３におけるエアーカーテンを形成した病室の模式図である。
【発明を実施するための形態】
【００３０】
本発明の第１の発明に係るパネル型殺菌装置は、内部空間、第１開口部および第２開口部を有する薄型の筐体と、第１開口部および第２開口部のいずれか一方に設けられる吸気ファンと、他方に設けられる排気ファンと、内部空間であって第１開口部と第２開口部との間に形成される空気の循環路と、内部空間に設けられると共に循環路を循環する空気に対して、所定の周波数帯域を有する紫外線を照射する単数又は複数の紫外線照射部と、を備え、紫外線照射部は、循環路において連通部分を生じるように配置されている。
【００３１】
この構成により、パネル型殺菌装置は、薄型でありながら、室内の空気を取り込んで殺菌できる。
【００３２】
本発明の第２の発明に係るパネル型殺菌装置では、第１の発明に加えて、筐体は、室内における間仕切りと兼用可能である。
【００３３】
この構成により、パネル型殺菌装置は、空気の遮蔽機能と殺菌機能を両立できる。
【００３４】
本発明の第３の発明に係るパネル型殺菌装置では、第１又は第２の発明に加えて、内部空間は、筐体の横方向であるＸ軸、筐体の高さ方向であるＹ軸、筐体の厚み方向であるＺ軸を有し、循環路は、Ｙ軸方向に主として形成され、紫外線照射部は、Ｘ軸およびＺ軸の少なくとも一方において、連通部分を形成する。
【００３５】
この構成により、パネル型殺菌装置は、狭い内部空間においても、確実に循環路を形成できる。
【００３６】
本発明の第４の発明に係るパネル型殺菌装置では、第１から第３のいずれかの発明に加えて、複数の紫外線照射部の少なくとも一つは、筐体の側面から出し入れ可能に、内部空間において設置可能である。
【００３７】
この構成により、狭小空間の内部空間に、紫外線照射部を容易に設置できる。
【００３８】
本発明の第５の発明に係るパネル型殺菌装置では、第４の発明に加えて、複数の紫外線照射部の一部は、筐体の側面の一方から内部空間に突出して設けられ、複数の紫外線照射部の他は、筐体の側面の他方から内部空間に突出して設けられる。
【００３９】
この構成により、紫外線照射部は、循環路を形成できると共に、高い効率で紫外線を照射できる。
【００４０】
本発明の第６の発明に係るパネル型殺菌装置では、第４の発明に加えて、筐体の側面の一方から突出する紫外線照射部と、筐体の側面の他方から突出する紫外線照射部とは、Ｙ軸において互い違いに配列する。
【００４１】
この構成により、紫外線照射部は、確実に紫外線を照射できる。
【００４２】
本発明の第７の発明に係るパネル型殺菌装置では、第３から第６のいずれかの発明に加えて、複数の紫外線照射部のそれぞれは、Ｘ軸に沿っている。
【００４３】
この構成により、紫外線照射部は、狭い内部空間でも容易に配置される。
【００４４】
本発明の第８の発明に係るパネル型殺菌装置では、第３から第６のいずれかの発明に加えて、複数の紫外線照射部のそれぞれは、Ｘ軸に交差するように、筐体の側面のそれぞれから突出して設けられる。
【００４５】
この構成により、紫外線照射部は、内部空間において、広範囲に紫外線を照射できる。
【００４６】
本発明の第９の発明に係るパネル型殺菌装置では、第１から第８のいずれかの発明に加えて、紫外線照射部は、発光部と基板部とを備え、基板部は、連通部分を形成する。
【００４７】
この構成により、紫外線照射部は、狭い内部空間であっても、確実に循環路を形成できる。
【００４８】
本発明の第１０の発明に係るパネル型殺菌装置では、第９の発明に加えて、発光部は、発光ダイオードを有する。
【００４９】
この構成により、紫外線照射部は、容易に紫外線を照射できる。
【００５０】
本発明の第１１の発明に係るパネル型殺菌装置では、第１から第１０のいずれかの発明に加えて、第１開口部は、筐体の上面、筐体の正面および筐体の背面のいずれかに設けられ、第２開口部は、筐体の底面、筐体の正面および筐体の背面のいずれかに設けられ、第１開口部は、第２開口部よりも、Ｙ軸において上方に位置する。
【００５１】
この構成により、パネル型殺菌装置は、室内において様々な空気循環を形成でき、殺菌空気を必要な領域に送出できる。
【００５２】
本発明の第１２の発明に係るパネル型殺菌装置では、第１１の発明に加えて、吸気ファンおよび排気ファンのそれぞれは、第１開口部および第２開口部のいずれか一方の開口部分に合わせて配置される。
【００５３】
この構成により、吸気と排気との方向を決定できる。
【００５４】
本発明の第１３の発明に係るパネル型殺菌装置では、第１から第１２のいずれかの発明に加えて、内部空間に、吸気ファンと排気ファンの間に配置される補助ファンを更に備える。
【００５５】
この構成により、内部空間における空気循環がより十分になる。
【００５６】
本発明の第１４の発明に係るパネル型殺菌装置では、第１から第１３のいずれかの発明に加えて、筐体は、放熱板を備える。
【００５７】
この構成により、パネル型殺菌装置は、籠もりがちな熱を排出できる。
【００５８】
本発明の第１５の発明に係るパネル型殺菌装置では、第１から第１４のいずれかの発明に加えて、筐体は、側面に放熱孔を有する。
【００５９】
この構成により、パネル型殺菌装置は、籠もりがちな熱を放出できる。
【００６０】
本発明の第１６の発明に係るパネル型殺菌装置では、第１から第１５のいずれかの発明に加えて、パネル型殺菌装置が、空調機器を備える室内に設置される場合に、空調機器から送出される空気の対流方向と、吸気ファンから排気ファンにかけて形成される循環路とが、同方向である。
【００６１】
この構成により、空調機器から送出される細菌の多い空気が、確実に殺菌されるようになる。
【００６２】
本発明の第１７の発明に係るパネル型殺菌装置では、第１から第１６のいずれかの発明に加えて、パネル型殺菌装置が、病床ベッドを有する病室に他の間仕切りと合わせてパーティションとして設置される場合に、病床ベッドの頭部および足部の少なくとも一方に対向する位置に、パネル型殺菌装置が配置される。
【００６３】
この構成により、病人の周辺の衛生状態が効率的に保たれる。
【００６４】
本発明の第１８の発明に係るパネル型殺菌装置では、第１７の発明に加えて、病床ベッドの一端に第１のパネル型殺菌装置が設置され、病床ベッドの他端に第２のパネル型殺菌装置が設置され、第１のパネル型殺菌装置は、第１開口部に排気ファンを設置すると共に第２開口部に吸気ファンを設置し、第２のパネル型殺菌装置は、第１開口部に吸気ファンを設置すると共に第２開口部に排気ファンを設置する。
【００６５】
この構成により、病床ベッドの周囲が、殺菌空気で覆われるようになる。
【００６６】
本発明の第１９の発明に係るパネル型殺菌装置では、第１８の発明に加えて、第１のパネル型殺菌装置と第２のパネル型殺菌装置は、病床ベッドの上空に、エアーカーテンを形成する。
【００６７】
この構成により、病人の衛生状態が高く保たれるようになる。
【００６８】
以下、図面を参照しながら、本発明の実施の形態を説明する。
【００６９】
（実施の形態１）
【００７０】
（全体概要）
まず、図１を用いて実施の形態１のパネル型殺菌装置の全体概要を説明する。図１は、本発明の実施の形態１におけるパネル型殺菌装置の斜視図である。破線によって内部に存在する要素を示している。パネル型殺菌装置１は、筐体２、筐体２内部に設けられる吸気ファン５、排気ファン６および単数又は複数の紫外線照射部７を備える。
【００７１】
筐体２は、第１開口部３および第２開口部４を有する薄型の部材である。薄型の筐体２は、パネル型殺菌装置１の外形を形成するので、パネル型殺菌装置１のパネル形状の外形は、この薄型の筐体２によって生み出される。筐体２は、内部空間２２を有する薄型の部材であって、この内部空間２２に、吸気ファン５、排気ファン６および紫外線照射部７を取り付けている。内部空間２２は、これらの要素によって、取り込んだ筐体２外部の空気を殺菌する。
【００７２】
筐体２は、内部空間２２と外部を通じさせる第１開口部３と第２開口部４を備える。第１開口部３と第２開口部４とは、筐体２において異なる位置に設けられている。第１開口部３と第２開口部４とによって、内部空間２２に外部の空気が取り込まれたり、内部空間２２で殺菌した空気を外部に送り出したりする。すなわち、第１開口部３と第２開口部４とは、殺菌する空気の導入と殺菌した空気の排出とを実現する。
【００７３】
吸気ファン５は、第１開口部３および第２開口部４のいずれか一方の近傍に設けられる。近傍とは、第１開口部３および第２開口部４のいずれか一方に近接すると共に内部空間２２である位置か、筐体２の外部である位置を含む。すなわち、吸気ファン５は、第１開口部３および第２開口部４のいずれか一方を介して、外部の空気を内部空間２２に吸引できる位置に設置されていればよい。例えば、第１開口部３および第２開口部４のいずれかに設けられても良い。吸気ファン５は、その吸引力によって、外部から内部空間２２に空気を吸引する。
【００７４】
排気ファン６は、第１開口部３および第２開口部４のいずれか一方の近傍に設けられる。近傍の定義は、上記と同じである。排気ファン６は、吸気ファン５と異なる位置に設けられるので、吸気ファン５が第１開口部３の近傍に設けられる場合には、排気ファン６は、第２開口部４の近傍に設けられる。逆に吸気ファン５が第２開口部４の近傍に設けられる場合には、排気ファン６は、第１開口部３の近傍に設けられる。排気ファン６は内部空間２２を循環した空気を外部に排出する。
【００７５】
内部空間２２には、第１開口部３と第２開口部４との間に形成される空気の循環路Ａが形成される。図１では、矢印によって示されている。吸気ファン５と排気ファン６の働きにより、矢印Ａによって示される循環路Ａが形成されている。内部空間２２においては、循環路Ａに沿って、空気が循環する。なお、循環路Ａは、空気の移動経路を示すものであって、部材として明確に形成されなくてはならないものではない。すなわち、後述の紫外線照射部７などの内部空間２２に形成される要素の隙間が、結果的な循環路Ａとなればよい。
【００７６】
紫外線照射部７は、内部空間２２内部に設けられ、循環路Ａを循環する空気に対して所定の周波数帯域を有する紫外線を照射する。特定周波数の紫外線によって、空気は殺菌されるようになる。ここで、内部空間２２は、単数又は複数の紫外線照射部７を備える。紫外線照射部７は、内部空間２２に備えられる場合に、循環路Ａにおいて連通部分を生じるように配置される。すなわち、紫外線照射部７は、内部空間２２において、第１開口部３と第２開口部４とをつなぐ方向において、空気の循環を遮蔽しない。紫外線照射部７は、空気の循環路Ａを残すようにして、内部空間２２に配置される。
【００７７】
以上のように、パネル型殺菌装置１は、薄型の筐体２を外形としつつ、その内部空間２２に紫外線照射部７などの空気の殺菌に必要な要素を含んだ構成を有している。
【００７８】
（動作手順）
次に、パネル型殺菌装置１の動作手順（機能）について説明する。
【００７９】
パネル型殺菌装置１は、病院、職場、家庭、小売店、役場など、人の集まる様々な場所の室内に設置される。パネル型殺菌装置１は、薄型の筐体２がその外形であるので、様々な場所に設置が容易である。特に、筐体２は薄型であるので、筐体２は、室内における間仕切りと兼用が可能である。このため、例えば、パネル型殺菌装置１は、職場の隣接する席同士の間仕切りとして設置されたり、病院における隣接する病床同士の間仕切りとして設置されたりする。このように、筐体２が間仕切りと兼用できることで、パネル型殺菌装置１が、室内における間仕切りとして空気の往来を遮蔽できる。
【００８０】
このように、パネル型殺菌装置１は、まず室内における隣接する人同士の間での空気の往来を遮蔽（完全でなくてもよい）する機能を発揮する。
【００８１】
設置されたパネル型殺菌装置１は、図１には図示していないが電源を有しており、電源から電力が供給されると、吸気ファン５と排気ファン６とが動作を開始する。また、電源から電力が供給されることで、紫外線照射部７も紫外線を内部空間２２に照射するようになる。
【００８２】
図１では、第１開口部３が筐体２の上面に設けられ、第２開口部４が筐体２の底面に設けられている。また吸気ファン５は第２開口部４の近傍に設けられ、排気ファン６は第１開口部３の近傍に設けられている。すなわち、筐体２の底面に吸気ファン５が設けられ、筐体２の上面に排気ファン６が設けられている状態である。
【００８３】
図２を用いて、電力供給後の動作を説明する。図２は、本発明の実施の形態１におけるパネル型殺菌装置の動作説明図である。電力が供給されることで、吸気ファン５と排気ファン６は、動作を開始する。この結果、吸気ファン５は、第２開口部４を通じて室内の空気を吸引する。矢印Ｃは、この吸気ファン５によって、内部空間２２に吸引される空気の流れを示している。矢印Ｃに従って、室内の空気は、吸気ファン５の働きで内部空間２２に到達する。
【００８４】
内部空間２２においては、吸気ファン５および排気ファン６との働きによって、循環路Ａを空気が移動する。循環路Ａは、上述の通り内部空間２２に設置される紫外線照射部７の隙間に生じる連通部分によって形成される。内部空間２２に取り込まれた空気は、循環路Ａに従って移動する際に、紫外線照射部７からの紫外線を受ける。紫外線照射部７は、殺菌効果を生じさせる所定の周波数の紫外線を照射する。紫外線照射部７は、この紫外線の照射によって、循環路Ａを移動する空気を殺菌する。
【００８５】
このとき、吸気ファン５、排気ファン６および筐体２の高さのそれぞれのバランスによって、循環路Ａを移動する空気の速度を変更できる。空気の移動速度が遅ければ、紫外線照射部７による紫外線の照射時間が長くなって殺菌効果が高まる。例えば、筐体２の高さが高いことで、循環路Ａが長くなる。この結果、紫外線照射部７による紫外線の照射時間が長くなり、殺菌効果が高まる。あるいは、吸気ファン５の回転速度が排気ファン６の回転速度よりも速いことも好適である。吸気が強く排気が弱いことで、内部空間２２に空気がより滞留することになって、循環路Ａを移動する空気に対する紫外線の照射時間が長くなる。この場合にも、紫外線による殺菌効果が高まる。
【００８６】
内部空間２２において循環路Ａを移動する空気は、このように単数または複数の紫外線照射部７による紫外線の照射による殺菌を受けて、殺菌された状態の空気となる。なお、殺菌とは、完全な殺菌のみを含む概念ではなく、滅菌など、細菌やウイルスなどを減少させることも含む概念である。殺菌された空気は、排気ファン６の働きによって、第１開口部３から筐体２外部に排出される。図２の矢印Ｄに示されるように、空気は室内に排出される。このようにして、殺菌された空気が、室内を再び循環するようになる。
【００８７】
以上のように、パネル型殺菌装置１は、吸気ファン５と排気ファン６とによって室内の空気を内部空間２２に取り込みつつ排気することを繰り返して、室内の空気を殺菌する。すなわち、パネル型殺菌装置１は、殺菌機能を発揮する。上述の通り、パネル型殺菌装置１は遮蔽機能も発揮するので、遮蔽機能と殺菌機能とを併せ持って室内の衛生状態を維持できる。
【００８８】
次に、各部の詳細について説明する。
（筐体）
【００８９】
筐体２は、パネル型殺菌装置１の外形を構成する。薄型の形状を有しており、間仕切りとして兼用できる。このため、その底面に足部を有していることも好適である。筐体２は、横方向であるＸ軸、高さ方向であるＹ軸および厚み方向であるＺ軸を有しており、厚みであるＺ軸の大きさが小さいことで、薄型を構成している。ここで、筐体２は、図１に示されるような直方体である必要はなく、厚みのある楕円形や多角形など、種々の形状を有していてもよい。ただ、いずれにしても間仕切りとして兼用できる薄型であることが好ましい。
【００９０】
筐体２は、樹脂、金蔵、合金、木材など種々の素材で形成されれば良い。特に、室内で使用されるので、表面の質感がソフトであることも好ましい。
【００９１】
筐体２は、内部空間２２を有するので、内部空間２２を形成するように、板部材が組み合わされて形成されることも好適である。もちろん、打ち抜きや板金によって一体的に形成されても良い。
【００９２】
また、筐体の大きさの一例として、高さが１５００ｍｍ〜１８００ｍｍ、横幅が９００ｍｍ〜１２００ｍｍ、厚みが１００ｍｍ〜１５０ｍｍである。これに限られるものではないが、このような大きさを有していることで、パネル型殺菌装置１は、非常に薄型となる。
【００９３】
（内部空間）
内部空間２２は、筐体２内部に形成される空間である。筐体２がＸ軸、Ｙ軸、Ｚ軸を有するので、内部空間２２もこのＸ軸、Ｙ軸、Ｚ軸を有する空間である。内部空間２２は、その内部に紫外線照射部７を備え、この紫外線照射部７の隙間（連通部分）に循環路Ａを備える。このとき、紫外線照射部７は、Ｘ軸およびＺ軸の少なくとも一方において連通部分を生じさせる。この結果、Ｙ軸に沿った循環路Ａが形成されるようになる。
【００９４】
内部空間２２は、紫外線照射部７を備えるので、その取り付けに必要な取り付け部を備えることも好適である。また、殺菌対象となる空気が移動する空間であるので、その表面に殺菌処理が施されていることも好適である。
【００９５】
例えば、内部空間２２を形成する筐体２の内側には、光触媒が塗布されていることも好適である。酸化チタンなどを例とする光触媒が塗布されていることで、紫外線照射部７による紫外線の照射と合わせて循環路Ａを移動する空気の殺菌効果が高まる。
【００９６】
（第１開口部と第２開口部）
第１開口部３と第２開口部４は、筐体２の一部に設けられ、第１開口部３および第２開口部４は、内部空間２２と連通する。第１開口部３および第２開口部４が内部空間２２と連通することで、筐体２外部の空気（パネル型殺菌装置１の設置される室内の空気）が内部空間２２に取り込まれるようになる。
【００９７】
第１開口部３と第２開口部４は、吸気と排気とによって、循環路Ａにおける空気循環を生み出す。このため、第１開口部３と第２開口部４は、筐体２の一部に設けられ、好ましくは筐体２において第１開口部３と第２開口部４とが離隔して設けられる。第１開口部３は、筐体２の上面、筐体２の正面および筐体２の背面のいずれかに設けられる。同様に、第２開口部４は、筐体２の底面、筐体２の正面および筐体２の背面のいずれかに設けられる。加えて、第１開口部３は、第２開口部４よりもＹ軸において情報に位置する。すなわち、第１開口部３、常に第２開口部４よりも上に備えられる。
【００９８】
第１開口部３および第２開口部４は、吸気ファン５および排気ファン６の働きと相まって、循環路Ａによる空気循環を形成する。この循環路Ａの空気循環によってパネル型殺菌装置１が設置される室内に空気循環が形成される。
【００９９】
図３は、室内の空気循環の一例を示す。図３は、本発明の実施の形態１における室内の空気循環を示す説明図である。図３では、パネル型殺菌装置１がある室内に設置され、第１開口部３は筐体２の上面に設けられ、第２開口部４は筐体２の底面に設けられる。また、第２開口部４の近傍に吸気ファン５が設置され、第１開口部３の近傍に排気ファン６が設置される。この結果、パネル型殺菌装置１は、室内の未殺菌空気を、筐体２の底面の第２開口部４から吸引し、循環路Ａの循環に合わせて、筐体２の上面の第１開口部３から排気される。排気されるのは、殺菌された殺菌空気である。この結果、図３の矢印Ｅ、矢印Ｆに示されるように、室内の底面から未殺菌空気がパネル型殺菌装置１に入り、室内の上方から殺菌空気が排気される循環が生じる。
【０１００】
あるいは、第１開口部３および第２開口部４の位置を変えることで、室内における空気循環を変えることもできる。図４は、本発明の実施の形態１における室内の空気循環を示す説明図である。図４においては、第１開口部３は、筐体２の背面に設置され、第２開口部４は、筐体２の正面に設置されている。第１開口部３には排気ファン６が、第２開口部４には吸気ファン５が設けられることで、第２開口部４から未殺菌空気が吸引され、第１開口部３から殺菌空気が排出される。この結果、矢印Ｅ、矢印Ｆに示される空気循環が、室内に形成される。
【０１０１】
図３、図４は、パネル型殺菌装置１が生じさせる空気循環の一例であり、第１開口部３、第２開口部４の相対的な位置関係、吸気ファン５および排気ファン６の相対的な位置関係を変化させることで、様々な空気循環を形成できる。第１開口部３は、第２開口部よりも上方に位置するので、第１開口部３に吸気ファン５を設置し、第２開口部４に排気ファンを設置することで、上方から下方に向かう空気循環を形成することができる（図３、図４と逆）。殺菌された殺菌空気を必要とする領域に合わせて、第１開口部３、第２開口部４、吸気ファン５、排気ファン６を組み合わせることで、フレキシビリティの高いパネル型殺菌装置１が実現される。
【０１０２】
また、第１開口部３、第２開口部４は、予め筐体２の複数の位置に設けられておき、開口している複数の部分のいずれかを蓋やキャップで塞いで、残った開口部分を、第１開口部３および第２開口部４とすることもよい。この場合には、一つのパネル型殺菌装置１によって、第１開口部３と第２開口部４の様々な組み合わせを、事後的に実現できる。もちろん、吸気ファン５および排気ファン６の回転方向も変更可能であることで、吸気と排気方向（循環路Ａの方向）を変えることもできる。
【０１０３】
（吸気ファン、排気ファン）
吸気ファン５と排気ファン６は、室内の空気を内部空間２２に取り込んで、殺菌後の空気を室内に排出する。吸気ファン５と排気ファン６とは、その回転方向や回転数を制御可能であり、これらの制御によって、循環路Ａの方向や循環路Ａでの空気の移動速度を調整できる。
【０１０４】
吸気ファン５は、第１開口部３および第２開口部４のいずれか一方に設けられ、排気ファン６も、第１開口部３および第２開口部４のいずれか一方に設けられる。このとき、吸気ファン５と排気ファン６とは、異なる開口部に設けられる。これによって、循環路Ａが形成される。
【０１０５】
第１開口部３および第２開口部４で説明した通り、吸気ファン５と排気ファン６の組み合わせの工夫によって、循環路Ａおよび室内循環のパターンを様々に構成できる。
【０１０６】
吸気ファン５および排気ファン６は、回転する羽根を有する回転ファンであってもよいし、物理的な吸引力を機能とする吸引ファンであってもよい。また、内部空間２２内部に設けられてもよいし（第１開口部３や第２開口部４の内側）、筐体２の外側に設けられても良い。後者の場合には、第１開口部３や第２開口部の外側に、吸気ファン５および排気ファン６が設置されることになる。
【０１０７】
（紫外線照射部）
紫外線照射部７は、内部空間２２において循環路Ａを移動する空気に紫外線を照射する。紫外線照射部７は、殺菌に最適な周波数の紫外線を照射する。
【０１０８】
使用する紫外線としては、殺菌機能を有する波長を有していればよい。一般的にはＵＶ−Ｃとして定義される周波数帯域の紫外線が用いられる。特に、殺菌効果の高い波長として、２３５．７ｎｍであることが適当である。このような波長の紫外線を、紫外線照射部７が使用することで、高い殺菌効果を実現できる。もちろん、紫外線照射部７が使用する紫外線は、殺菌を目的としているのであるから、波長や周波数を限定しなければならないわけではなく、現在あるいは将来において殺菌効果の高い波長の紫外線が検出されれば、これらの波長の紫外線を用いることができる。
【０１０９】
また、内部空間２２の表面が光触媒で塗布されている場合には、紫外線照射部７による紫外線と相まって、内部空間２２における殺菌能力が更に高まる。
【０１１０】
内部空間２２は、単数または複数の紫外線照射部７を備えており、紫外線照射部７は、連通部分を生じさせることで、循環路Ａを形成する。例えば、複数の紫外線照射部７が設けられる場合には、複数の紫外線照射部７同士が連通部分を生じさせることで、循環路Ａが形成される。
【０１１１】
ここで、紫外線照射部７は、筐体２の側面から出し入れ可能であることも好適である。筐体２は、薄型であるので、第１開口部３や第２開口部４から紫外線照射部７を出し入れすることは難しい。一方で、紫外線照射部７は、交換が必要な部品であり、パネル型殺菌装置１のメンテナンスのためには紫外線照射部７の容易な出し入れを必要とする。筐体２の側面からの出し入れが可能であると、紫外線照射部７の取替えなどが容易となり、メンテナンスが簡便となる。
【０１１２】
図５は、本発明の実施の形態１におけるパネル型殺菌装置１の模式図である。図５は、筐体２の側面２１Ａから紫外線照射部７Ａが出し入れ可能となっている状態を示している。側面２１Ａに紫外線照射部７Ａにあわせた扉や窓が設けられることで、側面２１Ａから紫外線照射部７Ａが出し入れ可能である。もちろん、紫外線照射部７Ｂも側面２１Ｂから出し入れ可能である。
【０１１３】
このように、紫外線照射部７が筐体２の側面２１から出し入れ可能であることで、紫外線照射部７は、側面２１から内部空間２２に投入されて設置されるようになる。すなわち、紫外線照射部７は、側面２１から内部空間２２に突出して設けられる。特に、複数の紫外線照射部７の一部は、側面２１Ａから内部空間２２に突出して設けられ、他は、側面２１Ｂから内部空間２２に突出して設けられることも好適である。言い換えれば、筐体２の両側面２１Ａ，２１Ｂのそれぞれから、紫外線照射部７が互い違いに突出するように設けられる。
【０１１４】
図６は、本発明の実施の形態１におけるパネル型殺菌装置の正面図である。図６は、正面から見た状態を模式的に示している。
【０１１５】
複数の紫外線照射部７のそれぞれにおいて、筐体２の側面の一方である側面２１Ａから突出する紫外線照射部７と、筐体２の側面の他方である側面２１Ｂから突出する紫外線照射部７とが、Ｙ軸において互い違いに配列している。この互い違いの配置によって生じる連通部分をつなげるように、循環路Ａが形成される。このように、複数の紫外線照射部７は、Ｙ軸において、側面２１Ａおよび側面２１Ｂから互い違いに配列されることでも良い。この場合には、内部空間２２において、循環路Ａを塞ぐことなく、移動する空気への紫外線の照射が効率的となるメリットがある。
【０１１６】
また、複数の紫外線照射部７のそれぞれは、Ｘ軸に沿っていることも好適である。図６に示されるパネル型殺菌装置１でも、複数の紫外線照射部７のそれぞれは、Ｘ軸に沿っている。このように紫外線照射部７がＸ軸に沿っていることで、紫外線照射部７は、広い範囲に渡って紫外線を照射できる。この結果、循環路Ａを移動する空気は、十分に殺菌される。
【０１１７】
あるいは、複数の紫外線照射部７のそれぞれは、Ｘ軸に交差するように、側面２１から内部空間２２に突出して設けられることも好適である。図７は、本発明の実施の形態１におけるパネル型殺菌装置の正面図である。図７は、複数の紫外線照射部７のそれぞれが、Ｘ軸に交差するように設けられている状態を示している。図７では、ある紫外線照射部７は、Ｘ軸に対して、Ｙ軸下を向くように交差しており、別の紫外線照射部７は、Ｘ軸に対して、Ｙ軸上を向くように交差している。このように、複数の紫外線照射部７は、様々な交差を有している。
【０１１８】
図７に示されるように、複数の紫外線照射部７がＸ軸に対して交差するように設けられると、循環路Ａを移動する空気に対して、種々の方向から紫外線が照射されるようになる。位置によっては、２つの紫外線照射部７からの紫外線が照射される。この結果、紫外線照射部７による殺菌が高い能力で行われるようになり、空気の殺菌度合いが高まるメリットがある。
【０１１９】
このように、紫外線照射部７が、内部空間２２において様々な態様で設置されることで、内部空間２２の大きさや形状に合わせて、循環路Ａを移動する空気の殺菌能力を高めることができる。また、側面２１から取り出し可能であることで、狭い内部空間２２に紫外線照射部７が設置容易であるし、交換容易となって、設計はもちろんメンテナンスが容易となる。
【０１２０】
（紫外線照射部の別態様）
紫外線照射部７は、所定の周波数の紫外線を照射する機能を有する。例えば、紫外線ランプなどが用いられる。あるいは、ＬＥＤ（発光ダイオード）などの半導体による発光素子が用いられることも好適である。発光素子が用いられる紫外線照射部７は、発光部と基板部とを備える。発行部は、ＬＥＤなどの発光素子そのものであり、基板部は、発光素子に電力を供給する回路を有する。このような発光部と基板部とを備える紫外線照射部７は、幅のある発光部と幅の小さい基板部とを混在させることができる。
【０１２１】
紫外線照射部７は、内部空間２２に設けられる。内部空間２２は、薄型の筐体２であるために、非常に薄い。紫外線照射部７は、一定以上の大きさを有するので、紫外線照射部７が、内部空間２２に設けられると空気の循環路Ａを狭めてしまう問題がある。循環路Ａが狭まると、空気の移動が弱くなり殺菌能力の低下が生じてしまう。
【０１２２】
発光部と基板部とを備える紫外線照射部７は、幅の小さい基板部を有しているので、この基板部が連通部分となって、空気の循環路Ａを内部空間２２に形成できる。すなわち、紫外線照射部７の設置位置の制約にかかわらず、基板部が循環路Ａを形成できる。
【０１２３】
図８は、本発明の実施の形態１におけるパネル型殺菌装置を上から見た図である。内部が見えるように示している。
【０１２４】
紫外線照射部７は、側面２１から内部空間２２に突出するように設けられている。ここで、紫外線照射部７は、基板部７１と発光部７２とを備えている。発行部７２は、ＬＥＤなどの発光素子を備えるので、幅が大きくなりやすい。このため、内部空間２２の厚み（Ｚ軸方向）が、発光部７２によって占有されることもある。図８では、発光部７２Ａ、発光部７２Ｂ共に、内部空間２２のＺ軸方向を占有している。また、側面２１Ａからは紫外線照射部７Ａが、側面２１Ｂからは紫外線照射部７Ｂが突出しているが、内部空間２２のＸ軸方向の幅が小さいと、二つの紫外線照射部７Ａ、７Ｂが設けられると、図６などに示されるのと異なり、紫外線照射部７Ａ、７Ｂ同士の間に、循環路Ａが形成されにくい。
【０１２５】
このような場合でも、紫外線照射部７Ａ、７Ｂが、基板部７１Ａ、７１Ｂを備えていると、この基板部７１Ａ、７１Ｂの幅は小さいので、この基板部７１Ａ、７１Ｂの周りに、循環路Ａが形成される。また、基板部７１Ａ、７１Ｂには、発光部７２Ａ，７２Ｂが隣接しており、基板部７１Ａ，７１Ｂの周囲に形成される循環路Ａに紫外線が十分に照射されるようになる。
【０１２６】
以上のように、紫外線照射部７を発光部７２と基板部７１とによって形成することで、内部空間２２が非常に狭い場合でも、空気の循環路Ａを確保できるようになる。
【０１２７】
（実現例）
図９は、本発明の実施の形態１におけるパネル型殺菌装置の斜視図である。図９より明らかな通り、パネル型殺菌装置１は、非常に薄型で間仕切りとしても利用可能な殺菌装置として実現される。また、パネル型殺菌装置１は、設置の安定性を実現するために、足部５０を有することも好適である。
【０１２８】
以上、実施の形態１のパネル型殺菌装置１は、薄型でありながら、種々の工夫によって紫外線による高い殺菌能力を実現して、間仕切りによる遮蔽機能と殺菌による殺菌機能とを両立できる。この結果、様々な室内において、隣接する人同士での衛生状態を維持することができる。
【０１２９】
（実施の形態２）
【０１３０】
次に、実施の形態２について説明する。実施の形態２では、実施の形態１で説明したパネル型殺菌装置１に追加される、様々な工夫や改良について説明する。
【０１３１】
（補助ファン）
内部空間２２は、循環路Ａでの空気循環を補助する補助ファンを更に備えることも好適である。
【０１３２】
図１０は、本発明の実施の形態２におけるパネル型殺菌装置の模式図である。図１などと同じ要素については説明を割愛する。
【０１３３】
図１０に示されるパネル型殺菌装置１は、内部空間２２に、補助ファン３０を備える。補助ファン３０は、吸気ファン５と排気ファン６との間に設けられるので、循環路Ａの途中で弱くなりうる空気の循環を補助できる。補助ファン３０は、吸気ファン５や排気ファン６と同様に、回転や圧縮方式によって空気の循環を生じさせる。吸気ファン５と排気ファン６との途中に設けられるので、吸気ファン５の吸引によって内部空間２２に吸引された空気の循環力が弱まったところに、補助ファン３０が作用する。この結果、循環路Ａでの空気の循環力が余り衰えないままに、排気ファン６による排気が行われる。
【０１３４】
このように、補助ファン３０によって循環路Ａでの空気循環が十分であることで、パネル型殺菌装置１が設置される室内での空気循環が高まる。
【０１３５】
（放熱）
パネル型殺菌装置１は、薄型の筐体２をその外形とし、狭小な内部空間２２で空気を殺菌する。この内部空間２２は、紫外線照射部７や吸気ファン５などの電力に基づいて動作する要素を備えている。これらの要素は、動作によって熱を発することもある。特に、内部空間２２は、非常に狭小な空間であるので、発生した熱が籠もってしまう問題もある。
【０１３６】
このため、筐体２は、放熱板を備えることも好適である。放熱板は、金属、合金などの熱伝導性の高い素材で形成される。銅やアルミニウムは熱伝導性が高く、放熱板の素材として好適である。
【０１３７】
放熱板は、筐体２に別途取り付けられてもよいし、筐体２の素材が、熱伝導性の高い素材であることで、筐体２の外壁が放熱板としての役割を果たすことでもよい。筐体２が放熱板を備える場合には、吸気ファン５や排気ファン６によって、熱が追い出されやすくなるというメリットもある。
【０１３８】
あるいは、筐体２が放熱孔を有することも好適である。放熱孔があることで、内部空間２２に籠もる熱が、外部に放出されるようになる。特に、筐体２の側面２１に放熱孔が設けられることが好適である。側面２１から熱が放出されれば、パネル型殺菌装置１が設置される室内において、使用者の不便が少なくなるからである。
【０１３９】
以上のように、実施の形態２におけるパネル型殺菌装置は、種々の工夫によって、その能力や使い勝手を更に高めることができる。
【０１４０】
（実施の形態３）
【０１４１】
次に、実施の形態３について説明する。実施の形態３では、パネル型殺菌装置１の設置の工夫による、よりメリットの高い衛生状態の維持について説明する。
【０１４２】
（空調機器との対応）
パネル型殺菌装置１が、空調機器を備える室内に設置される場合に、空調機器から送出される空気の滞留方向と、吸気ファン５から排気ファン６にかけて形成される循環路Ａとが同方向であることも好適である。
【０１４３】
図１１は、本発明の実施の形態３におけるパネル型殺菌装置が設置されている室内の模式図である。ある室内にパネル型殺菌装置１が設置されている。この室内には、空調機器４０が設置されている。空調機器４０は、通常室内の壁の上の方に設置されることが多い。このため、空調機器４０は、その吹き出し口から空気（空調された空気）を送出する。このとき、矢印Ｇのように室内の上方から空気を送出することが多い。
【０１４４】
この場合、パネル型殺菌装置１は、筐体２の上方に第１開口部３と吸気ファン５を配置し、筐体２の下方に第２開口部４と排気ファン６を配置することが好適である。矢印Ｇに沿って送出される空気が、第１開口部３から内部空間２２に取り込まれ、循環路Ａは、上から下向きに形成されて、第２開口部４から排出される。空調機器４０は、もともと矢印Ｇに沿った空気の送出と、矢印Ｈに沿った空気の還流とを形成しているので、第２開口部４から排出される殺菌された空気は、この矢印Ｇに沿って循環する。この結果、殺菌された空気が矢印Ｈに沿って循環するようになり、室内の衛生環境が維持される。特に、空調機器４０が生じさせる空気循環経路とパネル型殺菌装置１の内部における循環路Ａとの方向が同一であることで、室内全体での空気循環が妨げられることがない。この点で、室内での殺菌された空気の循環と殺菌すべき空気の循環とが効率的になる。
【０１４５】
特に、空調機器４０は、内部にカビなどを有していることも多く、送出される空気は細菌などを有していることが多い。この点は、問題点として考えられていた。
【０１４６】
パネル型殺菌装置１は、吸気方向と排気方向を容易に変更できる上、パネル型であるので、室内の上方と下方とに吸気と排気を生み出すことができる。これらの結果、空調機器４０によって生じうる細菌を含んだ空気の殺菌が、容易に行われるようになる。
【０１４７】
なお、空調機器４０の空気の送出方向が、図１１の矢印Ｇ，Ｈと逆方向になる場合には、パネル型殺菌装置１の吸気ファン５と排気ファン６との位置をぎゃくにすればよい。逆にすることで、室内においては、空調機器４０、矢印Ｈ、循環路Ａ，矢印Ｇとの、図１１とは逆の空気循環が生まれる。この場合も、空調機器４０から送出されたばかりの、細菌を多く含むと考えられる空気の、効率的な殺菌が実現される。
【０１４８】
（病室での設置位置）
パネル型殺菌装置１が、病床ベッドを有する病室に、他の間仕切りと合わせてパーティションとされる場合には、病床ベッドの頭部および足部に対向する位置に、パネル型殺菌装置１が配置されることも好適である。
【０１４９】
図１２は、本発明の実施の形態３におけるパネル型殺菌装置が設置された病室の模式図である。病室は、個室であることもあるが、複数の病床ベッド６０が設置されている複数人部屋であることも多い。このような複数人部屋である場合には、病人同士の衛生状態を維持するために、病床ベッド６０の周囲に間仕切り５０によってパーティション５１を設置することがある。パーティション５１によって、病床ベッド６０同士の空気の往来の遮蔽を実現する。
【０１５０】
このとき、病床ベッド６０の周囲はかなりの長さを有しているので、パーティション５１を形成するには、オフィス用品などとして市販されている通常の間仕切り５０が使われることが適当である。しかしながら、全てが通常の間仕切り５０であると、空気の往来の遮蔽機能は果たせても、空気の殺菌機能は果たせない。
【０１５１】
このため、パーティション５１の一部は、通常の間仕切り５０ではなく、実施の形態１〜２で説明したパネル型殺菌装置１が用いられることが好適である。しかしながら、パネル型殺菌装置１は、通常の間仕切りよりはコストが生じたり消費電力が生じたりする。このため、パーティション５１の中で、効率的にパネル型殺菌装置１が組み込まれるのが好適である。
【０１５２】
図１２では、病床ベッド６０の頭部および足部に対向する位置に、パネル型殺菌装置１が配置されている。細菌やウイルスの影響は、病人の呼吸器から混入することが問題である。病床ベッド６０では、頭部もしくは足部に、病人の頭が位置するようになる。このため、病床ベッド６０の頭部および足部の少なくとも一方に対向する位置に、パネル型殺菌装置１が配置されることで、コストや効果の面で、最適なパーティション５１が実現できる。
【０１５３】
（エアーカーテン）
病床ベッド６０の一端に第１のパネル型殺菌装置１が設置され、他端に第２のパネル型殺菌装置１が設置されて、病床ベッド６０の上空に殺菌された殺菌空気によるエアーカーテンを形成することも好適である。図１３は、本発明の実施の形態３におけるエアーカーテンを形成した病室の模式図である。病床ベッド６０には、病人６１が寝ている。病床ベッド６０の一端（頭部側）に、パネル型殺菌装置１Ａが設置され、病床ベッド６０の他端（足側）に、パネル型殺菌装置１Ｂが設置されている。
【０１５４】
ここで、パネル型殺菌装置１Ａにおいては、第１開口部３に排気ファン６が設置され、第２開口部４に吸気ファン５が設置される。一方、パネル型殺菌装置１Ｂにおいては、第１開口部３に吸気ファン５が設置され、第２開口部４に排気ファン６が設置される。このためパネル型殺菌装置１Ａの内部空間２２では、上向きに循環路Ａが形成され、パネル型殺菌装置１Ｂの内部空間２２では、下向きに循環路Ａが形成される。
【０１５５】
この結果、パネル型殺菌装置１Ａは、上方にある第１開口部３から殺菌された殺菌空気を排出する。この排出された殺菌空気は、パネル型殺菌装置１Ｂの第１開口部３での吸引によって、矢印Ｊに従った移動をする。すなわち、病人６１の上空では、殺菌された殺菌空気が移動することになって、病人６１にとっての衛生状態が保たれる。
【０１５６】
パネル型殺菌装置１Ｂでは、上方の第１開口部３に吸気ファン５が設置されているので、矢印Ｊに従って移動した空気を吸引する。パネル型殺菌装置１Ｂの第１開口部３に入力する空気は、病人６１の上空を移動してきているので、殺菌が薄れて細菌を含んでいる可能性がある。このような空気が、パネル型殺菌装置１Ｂの循環路Ａを移動する中で再び殺菌されて、下方にある第２開口部４から排出される。排出された殺菌空気は、矢印Ｋに従って病床ベッド６０の下方を移動する。これは、パネル型殺菌装置１Ａの第２開口部４に備わる吸気ファン５による吸引力の結果である。
【０１５７】
このように、病床ベッド６０の両端にパネル型殺菌装置１が配置されて、吸気方向と排気方向とを合わせることで、矢印Ｊ、Ｋに示されるようなエアーカーテンが、病床ベッド６０の上空に形成されるようになる。しかも、このエアーカーテンは、殺菌された殺菌空気であるので、病人６１の周囲は高い衛生状態が保たれる。
【０１５８】
例えば、病人用に、酸素テントや無菌テントが設けられることがあるが、多くの病人は、このような大掛かりな衛生維持装置を必要とすることは少ない。しかし、可能な範囲で衛生状態を維持したいとの希望が働くこともある。図１３に示される殺菌空気によるエアーカーテンは、この点で非常にメリットが高い。
【０１５９】
このように、病院やその他の場所で、複数のパネル型殺菌装置１を適切に配置することで、衛生状態を維持する様々な仕組みを構築できる。
【０１６０】
なお、実施の形態１〜３で説明されたパネル型殺菌装置は、本発明の趣旨を説明する一例であり、本発明の趣旨を逸脱しない範囲での変形や改造を含む。
【符号の説明】
【０１６１】
１    パネル型殺菌装置
２    筐体
２１    側面
２２    内部空間
３    第１開口部
４    第２開口部
５    吸気ファン
６    排気ファン
７    紫外線照射部
４０    空調機器
５０    間仕切り
５１    パーティション
６０    病床ベッド
【図１】
0005916070.tif 000002
【図２】
0005916070.tif 000003
【図３】
0005916070.tif 000004
【図４】
0005916070.tif 000005
【図５】
0005916070.tif 000006
【図６】
0005916070.tif 000007
【図７】
0005916070.tif 000008
【図８】
0005916070.tif 000009
【図９】
0005916070.tif 000010
【図１０】
0005916070.tif 000011
【図１１】
0005916070.tif 000012
【図１２】
0005916070.tif 000013
【図１３】
0005916070.tif 000014